(57)【特許請求の範囲】
【請求項１】
複数のチャネルが周波数多重されることによってタイムスロットが形成され、複数のタイムスロットが時間多重されることによってフレームが形成されており、フレーム内において、端末装置との間のデータと、データについての制御情報とのそれぞれに対して、別のチャネルを割り当てる割当部と、
前記割当部においてチャネルを割り当てた制御情報およびデータとによって、前記端末装置との通信を実行する通信部とを備え、
前記割当部は、制御情報が配置されたタイムスロットに含まれたデータを少なくとも確保しながら、確保していないデータのうちの少なくともひとつを解放することによって、データが配置されていないタイムスロットを使用しながらのハンドオーバ処理の実行を前記端末装置へ指示することを特徴とする基地局装置。
【請求項２】
前記割当部は、制御信号が配置されたタイムスロット以外のタイムスロットに含まれたデータを解放することを特徴とする請求項１に記載の基地局装置。
【請求項３】
端末装置が他の基地局装置の存在を確認するために使用される報知信号であって、かつ他の基地局装置からの報知信号が割り当てられたチャネルに関する情報を取得する取得部をさらに備え、
前記割当部は、制御情報が配置されたタイムスロット以外のタイムスロットのうち、前記取得部において取得した情報に含まれたチャネルに対応したタイムスロットを特定する手段と、特定したタイムスロットに含まれたデータを解放する手段とを含むことを特徴とする請求項１に記載の基地局装置。
【請求項４】
複数のチャネルが周波数多重されることによってタイムスロットが形成され、複数のタイムスロットが時間多重されることによってフレームが形成されており、フレーム内において、端末装置との間のデータと、データについての制御情報とのそれぞれに対して、別のチャネルを割り当てる割当方法であって、
制御情報が配置されたタイムスロットに含まれたデータを少なくとも確保しながら、確保していないデータのうちの少なくともひとつを解放することによって、データが配置されていないタイムスロットを使用しながらのハンドオーバ処理の実行を前記端末装置へ指示することを特徴とする割当方法。
【発明の詳細な説明】
【技術分野】
【０００１】
本発明は、割当技術に関し、特に端末装置に割り当てたチャネルにおいて端末装置と通信する割当方法およびそれを利用した基地局装置に関する。
【背景技術】
【０００２】
無線通信システムにおいて、基地局装置が複数の端末装置を接続する場合がある。基地局装置が複数の端末装置と通信する際の形態のひとつが、ＴＤＭＡ（Ｔｉｍｅ  Ｄｉｖｉｓｉｏｎ  Ｍｕｌｔｉｐｌｅ  Ａｃｃｅｓｓ）／ＴＤＤ（Ｔｉｍｅ  Ｄｉｖｉｓｉｏｎ  Ｄｕｐｌｅｘ）である。ＴＤＭＡ／ＴＤＤでは、複数のタイムスロットによってフレームが形成されており、さらに複数のフレームが連続して配置される。また、ひとつのフレームに含まれた複数のタイムスロットの一部が上り回線のために使用され、残りのタイムスロットが下り回線のために使用される。このようなＴＤＭＡ／ＴＤＤでは、例えば、ひとつのフレームのうちの上り回線のために使用されるタイムスロットの数と、下り回線のために使用されるタイムスロットの数とが、トラヒック量に応じて設定される（例えば、特許文献１参照。）。
【特許文献１】特開平８−１８６５３３号公報
【発明の開示】
【発明が解決しようとする課題】
【０００３】
一般的に、無線通信において、限りある周波数資源の有効利用が望まれている。特に、通信速度の高速化に伴い、その要請はさらに高まっている。この要請に応えるための技術のひとつが、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式であり、これは、前述のＴＤＭＡ／ＴＤＤと組合せ可能である。ＯＦＤＭＡとは、ＯＦＤＭを利用しながら複数の端末装置を周波数多重する技術である。そのため、ＯＦＤＭＡとＴＤＭＡとの組合せ（以下、このような組合せも単に「ＯＦＤＭＡ」といい、通常のＯＦＤＭＡと区別せずに使用する）では、周波数軸方向に規定された複数のサブチャネルと、時間軸方向に規定された複数のタイムスロットとが存在する。また、通信には、サブチャネルとタイムスロットとの組合せ（以下、「バースト」という）が使用される。
【０００４】
このようなＯＦＤＭＡにおいて、基地局装置は、データを通信するためのバーストを定期的に各端末装置に割り当てる。このようなバーストの割当は、「回線交換方式」と呼ばれ、音声通話のごとく、伝送遅延を小さくすべき通信に適している。一方、データ通信のごとく、伝送遅延の小ささは要求されないが、トラヒック量が大きく変動する場合もある。後者の場合、回線交換方式ではなく、トラヒック量に応じて、端末装置に割り当てられるバースト数をフレーム単位で変更する「ランダムアクセス方式」が適している。ランダムアクセス方式において、ひとつのフレームあたりに複数のバーストを端末装置に割り当てる場合がある。ここで、バーストには、データが含まれたチャネル（以下、「ＥＤＣＨ」という）が配置されている。また、ＥＤＣＨに関する情報がＥＣＣＨに含まれており、ＥＣＣＨは、定期的に割り当てられる。
【０００５】
一方、端末装置のモビリティーを向上させるために、通信品質が悪化したときにハンドオーバが起動される。その結果、端末装置は、通信を実行した基地局装置（以下、「ハンドオーバ元基地局装置」という）から、新たな基地局装置（以下、「ハンドオーバ先基地局装置」という）へ移動する。また、端末装置のモビリティーをさらに向上させるために、ハンドオーバに要する期間は、短い方が好ましい。一般的に、端末装置は、ハンドオーバ元基地局装置との通信において使用しているタイムスロット以外のタイムスロットにて、ハンドオーバ先基地局装置を探索する。探索に使用するタイムスロットが多いほど、探索の期間が短くなり、ハンドオーバに要する期間が短縮される。しかしながら、ランダムアクセス方式では、任意のバーストにＥＤＣＨが割り当てられるので、探索に使用可能なタイムスロットの数が少なくなることもある。
【０００６】
本発明はこうした状況に鑑みてなされたものであり、その目的は、任意のバーストにデータが割り当てられている場合においても、ハンドオーバに要する期間を短縮する通信技術を提供することにある。
【課題を解決するための手段】
【０００７】
上記課題を解決するために、本発明のある態様の基地局装置は、複数のチャネルが周波数多重されることによってタイムスロットが形成され、複数のタイムスロットが時間多重されることによってフレームが形成されており、フレーム内において、端末装置との間のデータと、データについての制御情報とのそれぞれに対して、別のチャネルを割り当てる割当部と、割当部においてチャネルを割り当てた制御情報およびデータとによって、端末装置との通信を実行する通信部とを備える。割当部は、制御情報が配置されたタイムスロットに含まれたデータを少なくとも確保しながら、確保していないデータのうちの少なくともひとつを解放することによって、データが配置されていないタイムスロットを使用しながらのハンドオーバ処理の実行を端末装置へ指示する。
【０００８】
本発明の別の態様は、割当方法である。この方法は、複数のチャネルが周波数多重されることによってタイムスロットが形成され、複数のタイムスロットが時間多重されることによってフレームが形成されており、フレーム内において、端末装置との間のデータと、データについての制御情報とのそれぞれに対して、別のチャネルを割り当てる割当方法であって、制御情報が配置されたタイムスロットに含まれたデータを少なくとも確保しながら、確保していないデータのうちの少なくともひとつを解放することによって、データが配置されていないタイムスロットを使用しながらのハンドオーバ処理の実行を端末装置へ指示する。
【０００９】
なお、以上の構成要素の任意の組合せ、本発明の表現を方法、装置、システム、記録媒体、コンピュータプログラムなどの間で変換したものもまた、本発明の態様として有効である。
【発明の効果】
【００１０】
本発明によれば、任意のバーストにデータが割り当てられている場合においても、ハンドオーバに要する期間を短縮できる。
【発明を実施するための最良の形態】
【００１１】
本発明を具体的に説明する前に、まず概要を述べる。本発明の実施例は、基地局装置と、少なくともひとつの端末装置によって構成される通信システムに関する。通信システムでは、複数のタイムスロットが時間分割多重されることによって、各フレームが形成され、複数のサブチャネルが周波数分割多重されることによって、各タイムスロットが形成されている。また、各サブチャネルは、マルチキャリア信号によって形成されている。ここで、マルチキャリア信号としてＯＦＤＭ信号が使用されており、周波数分割多重としてＯＦＤＭＡが使用されている。基地局装置は、各タイムスロットに含まれた複数のサブチャネルのそれぞれを端末装置に割り当てることによって、複数の端末装置との通信を実行する。
【００１２】
ここで、複数の端末装置との通信において対象とされるデータには、複数の種類が存在する。また、種類に応じて要求される通信速度や遅延時間が異なる。例えば、音声通信の場合、データ通信と比較して一般的に短い遅延時間が要求される。また、データ通信においては、データの内容に応じて通信速度が異なる。そのため、短い遅延時間が要求される場合、回線交換方式のごとく、定期的にバーストを割り当てることが好ましい。例えば、基地局装置が、各端末装置に対して、フレーム周期にてバーストを定期的に割り当てる。一方、短い遅延時間を要求しない端末装置に対して回線交換方式を適用すると、無駄な割当が発生するとともに、データ量の変動への追従が困難になる。
【００１３】
そのため、データ通信の場合では、ランダムアクセス方式のごとく、基地局装置が、各端末装置に対して、バーストを任意に割り当てる。以下では、ランダムアクセス方式において、バーストに割り当てるべきデータのチャネルを「ＥＤＣＨ」と呼ぶ。また、ランダムアクセス方式では、ＥＤＣＨに関する制御情報（以下、「ＥＣＣＨ」という）がフレーム単位に生成される。ＥＣＣＨには、ＥＤＣＨが配置されたバーストに関する情報、ＥＤＣＨの通信速度等が含まれる。基地局装置は、各端末装置との間で定期的にＥＣＣＨによる通信を実行する。端末装置は、ＥＣＣＨを受信すると、ＥＣＣＨの内容を確認することによって、ＥＤＣＨが割り当てられたバーストを認識する。
【００１４】
端末装置とハンドオーバ元基地局装置との通信品質が悪化したとき、端末装置は、既に通信に使用しているタイムスロット以外のタイムスロットにて、ハンドオーバ先基地局装置を探索する。つまり、端末装置は、基地局装置から報知される報知信号を受信することによって、基地局装置の存在を認識し、認識した基地局装置の中からハンドオーバ先基地局装置を選択する。端末装置とハンドオーバ元基地局装置とがランダムアクセス方式にて通信を実行している場合、複数のＥＤＣＨが割り当てられていることがある。さらに、その際、ＥＤＣＨが配置されていないタイムスロットの数が少なくなることがある。その結果、ハンドオーバ先基地局装置の探索に要する期間が長くなってしまい、ハンドオーバに要する期間も長くなってしまう。
【００１５】
これに対応するために、本実施例に係る基地局装置、特にハンドオーバ元基地局装置は、ＥＣＣＨが配置されたタイムスロットを特定し、特定したタイムスロット以外のタイムスロットに配置したＥＤＣＨを解放する。つまり、ハンドオーバ元基地局装置と端末装置との間において、特定したタイムスロットに配置されたＥＤＣＨだけが維持される。端末装置は、ハンドオーバ元基地局装置での決定にしたがって、ＥＤＣＨを解放する。その結果、報知信号の受信に使用できるタイムスロットの数が増加する。これによって、ハンドオーバ先基地局装置の探索に要する期間が短くなり、ハンドオーバに要する期間も短くなる。
【００１６】
図１は、本発明の実施例に係る通信システム１００の構成を示す。通信システム１００は、基地局装置１０と総称される第１基地局装置１０ａ、第２基地局装置１０ｂ、端末装置１２と総称される第１端末装置１２ａ、第２端末装置１２ｂ、ネットワーク５０、制御局５２を含む。
【００１７】
基地局装置１０は、一端に無線ネットワークを介して端末装置１２を接続し、他端に有線ネットワークとしてネットワーク５０を接続する。また、基地局装置１０は、ネットワーク５０を介して制御局５２に接続する。端末装置１２は、無線ネットワークを介して基地局装置１０に接続する。基地局装置１０は、複数のタイムスロットと、複数のサブチャネルを有しているので、複数のタイムスロットによってＴＤＭＡを実行しつつ、複数のサブチャネルによってＯＦＤＭＡを実行する。前述のごとく、タイムスロットとサブチャネルとを組み合わせた単位がバーストとして規定されており、基地局装置１０は、複数の端末装置１２のそれぞれに対してバーストを割り当てることによって、複数の端末装置１２との通信を実行する。具体的には、基地局装置１０は、複数のサブチャネルのうちのいずれかを制御チャネルに規定する。基地局装置１０は、制御チャネルにおいて、ＢＣＣＨのような報知信号を定期的に送信する。
【００１８】
端末装置１２は、ＢＣＣＨを受信することによって基地局装置１０の存在を認識するとともに、基地局装置１０に対してレンジングを要求する。また、基地局装置１０は、当該レンジングに応答する。レンジングとは、端末装置１２の周波数オフセットおよびタイミングオフセットを補正するための処理であるが、レンジングには公知の技術が使用されればよいので、ここでは説明を省略する。その後、端末装置１２は、基地局装置１０に対してバースト割当の要求信号を送信し、基地局装置１０は、受信した要求信号に応答して、端末装置１２にバーストを割り当てる。ここで、通信システム１００における割当規則は２種類存在し、それらは、回線交換方式とランダムアクセス方式である。
【００１９】
また、基地局装置１０は、端末装置１２に割り当てたバーストに関する情報を送信し、端末装置１２は、割り当てられたバーストを使用しながら、基地局装置１０との通信を実行する。その結果、端末装置１２から送信されたデータは、基地局装置１０を介して、有線ネットワークに出力され、最終的に有線ネットワークに接続された図示しない通信装置に受信される。また、通信装置から端末装置１２への方向にもデータは伝送される。ここで、ランダムアクセス方式を実行している端末装置１２に対して、基地局装置１０は、ＥＣＣＨをフレーム単位に割り当てる。また、基地局装置１０は、当該端末装置１２に対して、ＥＤＣＨを割り当てる。フレーム内におけるＥＤＣＨの数は、フレーム単位に異なる。ここで、ＥＤＣＨに関する制御情報は、ＥＣＣＨに含まれる。例えば、ＥＤＣＨを割り当てたフレーム内のバースト、ＥＤＣＨに対する通信速度等が、ＥＣＣＨに含まれる。これらの詳細は、後述する。
【００２０】
例えば、第１基地局装置１０ａがハンドオーバ元基地局装置に相当し、第２基地局装置１０ｂがハンドオーバ先基地局装置に相当する。端末装置１２と第１基地局装置１０ａとが通信中において、いずれか一方からハンドオーバの開始を通知する。端末装置１２は、制御チャネルを監視することによって、ハンドオーバ先基地局装置として、第２基地局装置１０ｂを特定する。なお、その際の処理は後述する。端末装置１２と第１基地局装置１０ａとは通信を切断し、端末装置１２は、第２基地局装置１０ｂへ接続を要求する。その後、端末装置１２と第２基地局装置１０ｂとが通信を開始する。
【００２１】
制御局５２は、ネットワーク５０を介して、基地局装置１０と接続する。制御局５２は、基地局装置１０を介して、端末装置１２に対する位置登録を実行する。位置登録とは、端末装置１２がどのページングエリアに含まれているかを管理することであるが、位置登録として公知の技術が使用されればよいので、ここでは説明を省略する。また、制御局５２は、図示しない交換機等より、端末装置１２に対する着信通知を受けつける。制御局５２は、位置登録の結果をもとに、着信通知に対応する端末装置１２がどのページングエリアに含まれるかを特定する。さらに、制御局５２は、ページングエリアに属する基地局装置１０に対して、着信通知を送信する。ネットワーク５０は、制御局５２と接続するとともに、基地局装置１０とも接続する。例えば、ネットワーク５０は、ＩＰ（Ｉｎｔｅｒｎｅｔ  Ｐｒｏｔｏｃｏｌ）ネットワークにて構成されるが、それに限定されるものではない。
【００２２】
図２は、通信システム１００におけるＴＤＭＡフレームの構成を示す。通信システム１００では、第二世代コードレス電話システムと同様、上り通信について４つのタイムスロット、下り通信について４つのタイムスロットによってフレームが構成される。ここで、上り通信についての４つのタイムスロットが上りサブフレームに相当し、下り通信についての４つのタイムスロットが下りサブフレームに相当する。さらにフレームが連続して配置されている。本実施例において、上り通信でのタイムスロットの割当と下り通信でのタイムスロットの割当は同一であるので、以下においては、説明の便宜上、下り通信のみを説明する場合もある。
【００２３】
図３は、通信システム１００におけるＯＦＤＭＡサブチャネルの構成を示す。基地局装置１０は、これまで説明したＴＤＭＡに加えて、さらに図３に示すように、ＯＦＤＭＡも適用する。その結果、ひとつのタイムスロットに複数の端末装置が割り当てられる。図３は横軸の方向に時間軸上のタイムスロットの配置を示し、縦軸の方向に周波数軸上のサブチャネルの配置を示す。すなわち、横軸の多重化がＴＤＭＡに相当し、縦軸の多重化がＯＦＤＭＡに相当する。ここでは、ひとつのフレームにおける第１タイムスロット（図中、「Ｔ１」と表示）から第４タイムスロット（図中、「Ｔ４」と表示）が含まれている。例えば、図３のＴ１からＴ４は、図２の第５タイムスロットから第８タイムスロットにそれぞれ相当する。
【００２４】
また、各タイムスロットには、第１サブチャネル（図中、「ＳＣ１」と表示）から第１６サブチャネル（図中、「ＳＣ１６」と表示）が含まれている。図３では、第１サブチャネルが、制御チャネルとして確保される。図中では、第１基地局装置１０ａ（図中「ＣＳ１」と表示）が、第１タイムスロットの第１サブチャネルに制御信号を割り当てている。つまり、ＳＣ１だけに着目したときのフレームの構成、および複数のフレームの集合が、ＬＣＣＨに相当する。また、図３では第１タイムスロットの第２サブチャネルに第１端末装置１２ａが、第２タイムスロットの第２サブチャネルから第４サブチャネルに第２端末装置１２ｂが割り当てられる。また、第３タイムスロットの第１６サブチャネルに第３端末装置１２ｃが、第４タイムスロットの第１３サブチャネルから第１５サブチャネルに第４端末装置１２ｄが割り当てられる。このうち、第１端末装置１２ａに割り当てたバーストおよび第３端末装置１２ｃに割り当てたバーストが、ＥＣＣＨに相当する。
【００２５】
図４は、通信システム１００におけるサブチャネルブロックの構成を示す。なお、サブチャネルブロックとは、タイムスロットとサブチャネルにて特定される無線チャネルに相当する。図４の横方向は、時間軸であり、縦方向は、周波数軸を示している。「１」から「２９」の番号は、サブキャリアの番号に相当する。このようにサブチャネルは、ＯＦＤＭのマルチキャリア信号によって構成されている。図中、「ＴＳ」は、トレーニングシンボルに相当し、図示しない同期検出用のシンボル「ＳＴＳ」、伝送路特性の推定用シンボル「ＬＴＳ」等の既知信号を含む。「ＧＳ」は、ガードシンボルに相当し、ここに実効的な信号は配置されない。「ＰＳ」はパイロットシンボルに相当し、既知信号によって構成される。「ＳＳ」はシグナルシンボルに相当し、制御用の信号が配置される。「ＤＳ」はデータシンボルに相当し、送信すべきデータである。「ＧＴ」はガードタイムに相当し、実効的な信号は配置されない。
【００２６】
図５は、通信システム１００における制御チャネルの構成を示す。制御チャネルは、ＢＣＣＨ、ＰＣＨ、ＰＣＨ、ＳＣＣＨ、ＰＣＨ、ＰＣＨ、ＳＣＣＨ、ＰＣＨ、ＰＣＨ、ＳＣＣＨ、ＰＣＨ、ＰＣＨによって構成される。ＢＣＣＨ、ＳＣＣＨ、ＰＣＨのそれぞれは、２０のＴＤＭＡフレーム（以下、「フレーム」という）で構成される。なお、ひとつのフレームは、図２のように構成される。図５では、便宜上、ＰＣＨ、ＢＣＣＨ、ＳＣＣＨが配置されたフレームも「ＰＣＨ」、「ＢＣＣＨ」、「ＳＣＣＨ」と示される。また、前述のごとく、フレームは複数のタイムスロットに分割されるが、ここでは、タイムスロットの単位、フレームの単位、２０フレームの単位のそれぞれに対して区別せずに、「ＰＣＨ」、「ＢＣＣＨ」、「ＳＣＣＨ」という用語を使用する。
【００２７】
図中、「ＳＣＣＨ」は個別セル用のチャネルである。なお、ＳＣＣＨに対応した上りのタイムスロットには、「ＴＣＣＨ」が配置されている。「ＴＣＣＨ」は、端末装置１２から基地局装置１０へ送信される初期レンジングの要求に相当する。なお、端末装置からのＴＣＣＨを受信した基地局装置は、レンジングの処理を実行するが、レンジングの処理は公知の技術でよいので、ここでは、説明を省略する。
【００２８】
また、図の下段には、各フレームの構成を示しているが、これは図２と同様に示される。なお、これは、図４のＳＣ１に対するフレーム構成に相当する。図１の第１基地局装置１０ａは、フレームを構成するタイムスロットのうち、ＬＣＣＨを割り当てたタイムスロット（図中、「ＣＳ１」と表示）で、ＢＣＣＨ、ＳＣＣＨ、ＰＣＨを２０フレーム間隔で間欠的に送信する。つまり、第１基地局装置１０ａは、ＳＣＣＨを構成する２０のフレームのうち、第１フレームの第５タイムスロットを使用し、ＰＣＨを構成する２０のフレームのうち、第１フレームの第５タイムスロットを使用する。
【００２９】
図１に示された第２基地局装置１０ｂは、第１基地局装置１０ａが送信した次のフレーム（図中、第２フレーム）のタイムスロットのうち、第１基地局装置１０ａが利用しているタイムスロットとフレーム先頭からの位置が同じタイムスロット（図中、「ＣＳ２」と表示）で、ＢＣＣＨ、ＳＣＣＨ、ＰＣＨを２０フレーム間隔で間欠的に送信する。このような構成により、フレームを構成する下り４つのタイムスロットごとに、２０の基地局装置、最大８０基地局装置まで多重することができる。
【００３０】
図６は、通信システム１００におけるＴＣＨ同期確立手順を示すシーケンス図である。これは、前述の回線交換方式を実行する場合のシーケンス図に相当する。また、ここでは、信号の名称にあわせて、チャネルの名称をかっこ書きで示す。端末装置１２は、基地局装置１０へＬＣＨ割当要求（ＴＣＣＨ）を送信する（Ｓ１００）。基地局装置１０は、端末装置１２へＬＣＨ割当応答（ＳＣＣＨ）を送信する（Ｓ１０２）。端末装置１２は、基地局装置１０へ回線設定要求（ＩＣＣＨ）を送信する（Ｓ１０４）。なお、ＩＣＣＨは、ＬＣＣＨとは別のサブチャネルに割り当てられた制御用チャネルである。基地局装置１０は、端末装置１２へ回線設定応答（ＩＣＣＨ）を送信する（Ｓ１０６）。
【００３１】
端末装置１２は、基地局装置１０へ拡張機能要求（ＩＣＣＨ）を送信する（Ｓ１０８）。基地局装置１０は、端末装置１２へ拡張機能応答（ＩＣＣＨ）を送信する（Ｓ１１０）。端末装置１２は、基地局装置１０へ接続要求（ＩＣＣＨ）を送信する（Ｓ１１２）。基地局装置１０は、端末装置１２へ第１認証情報（ＩＣＣＨ）を送信する（Ｓ１１４）。端末装置１２は、基地局装置１０へ第２認証情報（ＩＣＣＨ）を送信する（Ｓ１１６）。基地局装置１０は、端末装置１２へ暗号鍵提示（ＩＣＣＨ）を送信する（Ｓ１１８）。基地局装置１０は、端末装置１２へ接続応答（ＩＣＣＨ）を送信する（Ｓ１２０）。端末装置１２と基地局装置１０とは、通信（ＴＣＨ）を実行する（Ｓ１２２）。
【００３２】
図７は、基地局装置１０の構成を示す。基地局装置１０は、ＲＦ部２０、変復調部２２、ベースバンド処理部２４、ＩＦ部２６、制御部３０を含む。また、制御部３０は、割当部４０、検出部４２、生成部４４を含む。なお、第１基地局装置１０ａと第２基地局装置１０ｂとは、同様のタイプである。
【００３３】
ＲＦ部２０は、受信処理として、図示しない端末装置１２から受信した無線周波数のマルチキャリア信号に対して周波数変換を実行し、ベースバンドのマルチキャリア信号を生成する。ここで、マルチキャリア信号は、図３のごとく形成されており、また、図２の上りタイムスロットに相当する。さらに、ＲＦ部２０は、ベースバンドのマルチキャリア信号を変復調部２２に出力する。一般的に、ベースバンドのマルチキャリア信号は、同相成分と直交成分によって形成されるので、ふたつの信号線によって伝送されるべきであるが、ここでは、図を明瞭にするためにひとつの信号線だけを示すものとする。また、ＲＦ部２０には、ＡＧＣやＡ／Ｄ変換部も含まれる。
【００３４】
ＲＦ部２０は、送信処理として、変復調部２２から入力したベースバンドのマルチキャリア信号に対して周波数変換を実行し、無線周波数のマルチキャリア信号を生成する。さらに、ＲＦ部２０は、無線周波数のマルチキャリア信号を送信する。なお、ＲＦ部２０は、受信したマルチキャリア信号と同一の無線周波数帯を使用しながら、マルチキャリア信号を送信する。つまり、図２のごとく、ＴＤＤが使用されているものとする。また、ＲＦ部２０には、ＰＡ（Ｐｏｗｅｒ  Ａｍｐｌｉｆｉｅｒ）、Ｄ／Ａ変換部も含まれる。
【００３５】
変復調部２２は、受信処理として、ＲＦ部２０から入力したベースバンドのマルチキャリア信号に対して、ＦＦＴを実行することによって、時間領域から周波数領域への変換を実行する。周波数領域に変換したマルチキャリア信号は、図３や図４のごとく、複数のサブキャリアのそれぞれに対応した成分を有する。なお、変復調部２２は、タイミング同期、つまりＦＦＴのウインドウの設定を実行し、ガードインターバルの削除も実行する。タイミング同期等には、公知の技術が使用されればよいので、ここでは、説明を省略する。また、変復調部２２は、周波数領域に変換したマルチキャリア信号を復調する。なお、復調のために伝送路特性が推定されるが、伝送路特性は、サブキャリア単位に推定される。変復調部２２は、復調した結果をベースバンド処理部２４に出力する。
【００３６】
変復調部２２は、送信処理として、ベースバンド処理部２４から受けつけたマルチキャリア信号に対して、変調を実行する。また、変復調部２２は、変調したマルチキャリア信号に対して、ＩＦＦＴを実行することによって、周波数領域から時間領域への変換を実行する。変復調部２２は、時間領域に変換したマルチキャリア信号をベースバンドのマルチキャリア信号としてＲＦ部２０に出力する。なお、変復調部２２は、ガードインターバルの付加も実行するが、ここでは説明を省略する。
【００３７】
ベースバンド処理部２４は、受信処理として、変復調部２２から復調結果を受けつけ、復調結果を端末装置１２単位に分離する。つまり、復調結果は、図３のごとく、複数のサブチャネルによって構成されている。そのため、ひとつのサブチャネルがひとつの端末装置１２に割り当てられている場合、復調結果には、複数の端末装置１２からの信号が含まれている。ベースバンド処理部２４は、このような復調結果を端末装置１２単位に分離する。ベースバンド処理部２４は、分離した復調結果に対して、送信元の端末装置１２を識別するための情報と宛先を識別するための情報とを付加して、ＩＦ部２６に出力する。
【００３８】
ベースバンド処理部２４は、送信処理として、ＩＦ部２６から、複数の端末装置１２へのデータを受けつけ、データをサブチャネルに割り当て、複数のサブチャネルからマルチキャリア信号を形成する。つまり、ベースバンド処理部２４は、図３のごとく、複数のサブチャネルによって構成されるマルチキャリア信号を形成する。なお、データが割り当てられるべきサブチャネルは、図３のごとく決められており、それに関する指示は、制御部３０から受けつけるものとする。ベースバンド処理部２４は、マルチキャリア信号を変復調部２２に出力する。
【００３９】
ＩＦ部２６は、受信処理として、ベースバンド処理部２４から受けつけた復調結果を図示しない有線ネットワークに出力する。復調結果の宛先は、復調結果に付加された情報であって、かつ宛先を識別するための情報をもとに設定される。ここで、宛先を識別するための情報は、例えば、ＩＰ（Ｉｎｔｅｒｎｅｔ  Ｐｒｏｔｏｃｏｌ）アドレスによって示される。また、ＩＦ部２６は、送信処理として、図示しない有線ネットワークから複数の端末装置１２に対するデータを入力する。制御部３０は、入力したデータをベースバンド処理部２４に出力する。
【００４０】
制御部３０は、端末装置１２に対するバーストの割当、基地局装置１０全体のタイミング制御等を実行する。制御部３０は、バーストの割当として、回線交換方式とランダムアクセス方式とを実行する。制御部３０は、例えば、端末装置１２からの要求に応じて、回線交換方式を実行する。つまり、当該端末装置１２に対して、制御部３０は、定期的にバーストを端末装置１２に割り当てる。例えば、フレーム周期のタイムスロットに含まれたバーストが、第１端末装置１２ａに割り当てられる。なお、バーストの割当は、定期的になるようになされればよく、フレーム周期だけに限らず、フレーム周期よりも長い周期にてなされてもよく、フレーム周期よりも短い周期にてなされてもよい。
【００４１】
また、制御部３０は、別の端末装置１２からの要求に応じて、ランダムアクセス方式を実行する。つまり、制御部３０は、当該端末装置１２に対して、バーストの割当をフレーム単位に変更する。例えば、制御部３０は、端末装置１２との通信量を反映させながら、割り当てるべきバーストの数を決定する。制御部３０は、端末装置１２に対して、定期的にＥＣＣＨを割り当て、当該ＥＣＣＨの中に、割り当てたバーストに関する情報を含める。ここで、制御部３０は、ＳＣＣＨを送信する際にＥＣＣＨの割当を通知する。そのため、ＥＣＣＨは、回線交換方式におけるＴＣＨのごとく、定期的に割り当てられている。
【００４２】
制御部３０における動作をより詳細に説明するが、ここでは、特に本実施例と関連の深いものとして、（１）新規接続時の動作、（２）ランダムアクセス方式での基本動作、（３）ハンドオーバ時の動作を順に説明する。なお、ここでは、説明を明瞭にするために、ひとつの端末装置１２に対する処理を説明する。
【００４３】
（１）新規接続時の動作
割当部４０は、レンジング処理の終了後、ＲＦ部２０からＩＦ部２６を介して、図示しない端末装置１２であって、かつ接続していない端末装置１２から、ＬＣＨ割当要求を受信する。割当部４０は、ＬＣＨ割当要求をもとに、当該端末装置１２に対して、バーストを割り当てる。なお、同期確立時のいずれかの信号に、回線交換方式による割当を希望するか、あるいはランダムアクセス方式による割当を希望するかが示された情報が含まれていてもよい。割当部４０は、その情報をもとに、回線交換方式による割当あるいはランダムアクセス方式による割当を決定する。なお、いずれの場合においても、上りサブフレームと下りサブフレームとに対して、対称的なバーストの割当がなされる。割当部４０は、回線交換方式を実行する場合、端末装置１２に対してＴＣＨ、つまりデータを含めるべきバーストを直接割り当てる。
【００４４】
一方、割当部４０は、ランダムアクセス方式を実行する場合、端末装置１２に対してＥＣＣＨ、つまりＥＤＣＨに関する情報が含まれたバーストを直接割り当てる。そのため、ＥＤＣＨに対するバーストの割当は、ＥＣＣＨを介して、端末装置１２に伝えられる。つまり、割当部４０は、フレーム内において、ＥＤＣＨと、ＥＣＣＨとのそれぞれに対して、別のバーストを割り当てる。割当部４０は、回線交換方式でのＴＣＨの割当の結果あるいはランダムアクセス方式でのＥＣＣＨの割当の結果を無線リソース割当ＳＣＣＨとして、ＩＦ部２６からＲＦ部２０より図示しない端末装置１２へ送信する。図示しない端末装置１２は、無線リソース割当ＳＣＣＨの内容をもとに通信を実行する。
【００４５】
（２）ランダムアクセス方式での基本動作
割当部４０は、フレーム単位に、ＥＤＣＨに割り当てるバースト決定する。ＥＤＣＨに対するバーストの割当は、上りＥＤＣＨと下りＥＤＣＨのそれぞれに対してなされる。生成部４４は、上りＥＤＣＨと下りＥＤＣＨのそれぞれに対するバーストの割当結果をＥＣＣＨに格納する。また、ＥＣＣＨには、ＥＤＣＨに対する通信速度等の情報も含まれる。通信速度は、変調方式、誤り訂正の符号化率によって定められる。
【００４６】
さらに、ＥＣＣＨには、過去のＥＤＣＨに対するＡＣＫ／ＮＡＣＫの情報も含まれる。このようなＡＣＫ／ＮＡＣＫの情報は、ＡＲＱ（Ａｕｔｏｍａｔｉｃ  Ｒｅｐｅａｔ  Ｒｅｑｕｅｓｔ）やＨＡＲＱに使用されるが、ここでは説明を省略する。このようなＥＣＣＨは、下りＥＣＣＨに相当するが、ＥＣＣＨには、上りＥＣＣＨも存在する。上りＥＣＣＨは、図示しない端末装置１２から送信されており、ＥＤＣＨでの通信速度の情報やＡＣＫ／ＮＡＣＫの情報を含んでいる。また、ＥＣＣＨの通知後、ＥＣＣＨに含まれた情報にしたがって、基地局装置１０と端末装置１２との間でＥＤＣＨによる通信が実行される。つまり、ランダムアクセス方式の場合、ＲＦ部２０からＩＦ部２６は、割当部４０においてバーストを割り当てたＥＣＣＨおよびＥＤＣＨとによって、端末装置１２との通信を実行する。
【００４７】
（３）ハンドオーバ時の動作
ハンドオーバは、回線交換方式とランダムアクセス方式にかかわらずなされるが、ここでは、ランダムアクセス方式の場合におけるハンドオーバを説明する。まず、ハンドオーバ元基地局装置、つまり第１基地局装置１０ａにおける処理を説明する。検出部４２は、端末装置１２との通信中に、ハンドオーバの開始トリガーを検出する。ハンドオーバの開始トリガーは、公知の技術によって検出されればよい。例えば、検出部４２は、ＲＦ部２０からＩＦ部２６を介して、端末装置１２との通信品質を測定し、通信品質がしきい値よりも悪化した場合に、ハンドオーバの開始トリガーを検出したとする。ここでは、通信品質として、誤り率、受信電力等が測定される。また、検出部４２は、ＲＦ部２０からＩＦ部２６を介して、端末装置１２からハンドオーバの要求を受けつけた場合に、ハンドオーバの開始トリガーを検出したとしてもよい。検出部４２は、ハンドオーバの開始トリガーを検出した場合に、割当部４０および生成部４４へその旨を通知する。
【００４８】
割当部４０は、検出部４２から、検出した旨を受けつけると、ＥＣＣＨを割り当てているバーストと、ＥＤＣＨを割り当てているバーストとを確認する。なお、前述のごとく、ＥＤＣＨに対するバーストの割当は、フレーム単位に異なっているが、ここでは、処理を簡易にするために、隣接したフレーム間において、バースト割当の相違は小さいものとする。また、割当部４０は、ＥＣＣＨを割り当てているバーストが含まれたタイムスロットを特定する。割当部４０は、特定したタイムスロットに含まれたＥＤＣＨを少なくとも確保しながら、特定したタイムスロット以外のタイムスロットに含まれたＥＤＣＨを解放する。割当部４０は、解放の対象となるＥＤＣＨに関する情報、あるいは確保するＥＤＣＨに関する情報を生成部４４へ通知する。
【００４９】
生成部４４は、検出部４２から、検出した旨を受けつけるとともに、割当部４０から、前述の情報を受けつける。生成部４４は、確保したＥＤＣＨに関する情報を含めることによって、下りＥＣＣＨを生成する。また、生成部４４は、端末装置１２へ、ハンドオーバの実行を開始する旨の指示信号を生成する。生成部４４は、ＩＦ部２６からＲＦ部２０を介して、下りＥＣＣＨおよび指示信号を端末装置１２へ送信する。以上の処理によって、制御部３０は、ＥＤＣＨが配置されていないタイムスロットを使用しながらのハンドオーバ処理の実行を端末装置１２へ指示する。
【００５０】
図８（ａ）−（ｂ）は、第１基地局装置１０ａにおける割当状況を示す。図８（ａ）−（ｂ）の表記は、図３と同様である。図８（ａ）は、ハンドオーバ実行前のバーストの割当状況を示す。第１基地局装置１０ａは、ＳＣ１のＴ３に制御チャネル（「ＣＣＨ」ともいう）を割り当て、ＳＣ３のＴ２に、第１端末装置１２ａに対するＥＣＣＨを割り当てる。また、第１基地局装置１０ａは、ＳＣ４のＴ１等に、第１端末装置１２ａに対するＥＤＣＨを割り当てる。図示のごとく、ＥＤＣＨの割当は、Ｔ１からＴ４にわたる。
【００５１】
図８（ｂ）は、ハンドオーバ実行時の割り当て状況を示す。前述のごとく、割当部４０は、ＥＣＣＨが配置されたタイムスロット「Ｔ２」を特定する。また、割当部４０は、タイムスロット「Ｔ２」に配置されたＥＤＣＨを維持する。そのため、図８（ｂ）におけるＴ２でのＥＤＣＨの配置は、図８（ａ）でのＥＤＣＨの配置と同様である。一方、割当部４０は、特定したタイムスロット以外のタイムスロット「Ｔ１」、「Ｔ３」、「Ｔ４」におけるＥＤＣＨをすべて解放する。また、生成部４４は、このようなＥＤＣＨの配置をＥＣＣＨにて端末装置１２へ通知する。図７に戻る。
【００５２】
次に、ハンドオーバ先基地局装置、つまり第２基地局装置１０ｂにおける処理を説明する。なお、ハンドオーバ先基地局装置におけるハンドオーバ処理は、（１）に説明した新規接続時の動作と同様であるので、ここでは差異を中心に説明する。第２基地局装置１０ｂの割当部４０は、端末装置１２からハンドオーバ処理の要求を受けつけると、制御チャネルを配置したタイムスロットに、当該端末装置１２に対するＥＣＣＨを配置する。これは、ハンドオーバ元基地局装置においてＥＣＣＨの割当がなされたタイムスロットと、ハンドオーバ先基地局装置においてＥＣＣＨの割当がなされたタイムスロットとが、重複しないようにするためである。さらに、割当部４０は、ＥＣＣＨを配置したタイムスロットにＥＤＣＨを配置する。生成部４４は、以上の配置をＥＣＣＨに含め、ＥＣＣＨを端末装置１２へ通知する。なお、端末装置１２と第１基地局装置１０ａとの通信が切断された後、割当部４０は、ＥＣＣＨの割当を別のタイムスロットに変更してもよいし、ＥＤＣＨを別のタイムスロットに割り当ててもよい。
【００５３】
図９（ａ）−（ｂ）は、第２基地局装置１０ｂにおける割当状況を示す。図９（ａ）−（ｂ）の表記は、図３と同様である。図９（ａ）は、ハンドオーバ実行前のバーストの割当状況を示す。第２基地局装置１０ｂは、ＳＣ１のＴ４に制御チャネル（「ＣＣＨ」ともいう）を割り当てる。図９（ｂ）は、ハンドオーバ実行時の割り当て状況を示す。前述のごとく、割当部４０は、ＣＣＨが配置されたタイムスロット「Ｔ４」に、ＥＣＣＨを配置する。ここで、ＥＣＣＨは、ＳＣ４のＴ４に割り当てられる。また、割当部４０は、Ｔ４の複数のバーストにＥＤＣＨを割り当てる。また、生成部４４は、このようなＥＤＣＨの配置をＥＣＣＨにて端末装置１２へ通知する。
【００５４】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００５５】
図１に示した端末装置１２は、図７に示した基地局装置１０と同様に構成される。なお、端末装置１２と基地局装置１０との機能の違いは、レンジング処理、チャネルの割当、ＥＣＣＨの生成等に存在するが、それらは既に説明したので、ここでは説明を省略する。端末装置１２は、第１基地局装置１０ａと通信を実行している場合に、通信品質の悪化を検出する。端末装置１２は、第１基地局装置１０ａに対して、通信品質の悪化を通知する。その後、端末装置１２は、第１基地局装置１０ａから下りＥＣＣＨを受けつけ、下りＥＣＣＨに含まれた指示にしたがって、ＥＣＣＨが配置されたタイムスロット以外のタイムスロットに配置されたＥＤＣＨを解放する。また、端末装置１２は、ＥＣＣＨが配置されたタイムスロット以外のタイムスロットにおいて、ハンドオーバ先基地局装置を探索する。
【００５６】
端末装置１２は、ハンドオーバ先基地局装置である第２基地局装置１０ｂに対して、ハンドオーバの実行を要求する。端末装置１２は、第２基地局装置１０ｂからＣＣＨと同一のタイムスロットに、ＥＣＣＨを割り当てられる。端末装置１２は、ＥＣＣＨにて示されたＥＤＣＨによって、第２基地局装置１０ｂとの通信を実行する。ここで、ＥＤＣＨが配置されたタイムスロットは、ＥＣＣＨが配置されたタイムスロットと同一である。その後、端末装置１２は、第１基地局装置１０ａとの接続を切断する。また、端末装置１２は、ＥＣＣＨが配置されたタイムスロット以外のタイムスロットにも配置されたＥＤＣＨを使用しながら、第２基地局装置１０ｂと通信する。
【００５７】
以上の構成による通信システム１００の動作を説明する。図１０は、通信システム１００におけるハンドオーバ処理の手順を示すシーケンス図である。第１端末装置１２ａと第１基地局装置１０ａとは、通信中である（Ｓ１５０）。第１基地局装置１０ａは、第１端末装置１２ａへ、ＥＤＣＨの一部解放を通知する（Ｓ１５２）。第１端末装置１２ａと第２基地局装置１０ｂとは、ハンドオーバ処理を実行する（Ｓ１５４）。第１端末装置１２ａと第２基地局装置１０ｂとは、通信を実行する（Ｓ１５６）。その後、第１端末装置１２ａは、第１基地局装置１０ａへ切断を要求する（Ｓ１５８）。
【００５８】
図１１は、第１基地局装置１０ａにおけるハンドオーバ処理の手順を示すフローチャートである。検出部４２は、ハンドオーバの起動を検出する（Ｓ２００）。割当部４０は、ＥＣＣＨが配置されたタイムスロットを特定する（Ｓ２０２）。割当部４０は、特定したタイムスロット以外のタイムスロットに配置されたＥＤＣＨを解放する（Ｓ２０４）。生成部４４は、ＩＦ部２６からＲＦ部２０を介して、第１端末装置１２ａへハンドオーバの実行を指示する（Ｓ２０６）。ハンドオーバ処理が終了しなければ（Ｓ２０８のＮ）、待機する。一方、ハンドオーバ処理が終了すれば（Ｓ２０８のＹ）、割当部４０は、ＥＣＣＨ、ＥＤＣＨを解放する（Ｓ２１０）。
【００５９】
図１２は、第１端末装置１２ａにおけるハンドオーバ処理の手順を示すフローチャートである。第１端末装置１２ａは、ハンドオーバ元基地局装置と通信する（Ｓ２５０）。第１端末装置１２ａは、ハンドオーバ元基地局装置から、ＥＤＣＨの解放の指示と、ハンドオーバの指示を受けつける（Ｓ２５２）と、ハンドオーバ先基地局装置を探索する（Ｓ２５４）。検出できなければ（Ｓ２５６のＮ）、ステップ２５４に戻る。検出できれば（Ｓ２５６のＹ）、第１端末装置１２ａは、ハンドオーバ先基地局装置との間でハンドオーバ処理を実行する（Ｓ２５８）。ハンドオーバ処理が完了しなければ（Ｓ２６０のＮ）、ステップ２５８に戻る。ハンドオーバ処理が完了すれば（Ｓ２６０のＹ）、第１端末装置１２ａは、ハンドオーバ先基地局装置からＥＣＣＨとＥＤＣＨとを割り当てられる（Ｓ２６２）。第１端末装置１２ａは、ハンドオーバ元基地局装置とのＥＣＣＨとＥＤＣＨとを解放する（Ｓ２６４）。
【００６０】
図１３は、第２基地局装置１０ｂにおけるハンドオーバ処理の手順を示すフローチャートである。割当部４０は、ハンドオーバの要求を受けつける（Ｓ３００）と、ハンドオーバ処理を実行する（Ｓ３０２）。ハンドオーバ処理が完了しなければ（Ｓ３０４のＮ）、ステップ３０２に戻る。ハンドオーバ処理が完了すれば（Ｓ３０４のＹ）、割当部４０は、ＣＣＨと同じタイムスロットにＥＣＣＨを配置する（Ｓ３０６）。ＲＦ部２０からＩＦ部２６は、ＥＤＣＨにて第１端末装置１２ａと通信する（Ｓ３０８）。
【００６１】
以下では、変形例を説明する。変形例に係るハンドオーバ元基地局装置は、実施例に係るハンドオーバ元基地局装置と同様に、ハンドオーバ処理を実行する際に、端末装置１２に割り当てたＥＤＣＨを解放する。実施例に係るハンドオーバ元基地局装置は、ＥＣＣＨを配置したタイムスロット以外のタイムスロットのＥＤＣＨをすべて解放する。一方、変形例に係るハンドオーバ元基地局装置は、周囲に設置された基地局装置のＣＣＨが配置されたタイミングを予め取得する。前述のごとく、制御チャネルは、スーパーフレームに対して配置されているので、タイミングは、フレームとタイムスロットの組合せによって特定される。ハンドオーバ元基地局装置は、取得したタイミングに配置されたＥＤＣＨを解放する。その結果、変形例では、実施例よりも、解放すべきＥＤＣＨの数を少なくできる。
【００６２】
変形例に係る通信システム１００は、図１に示された通信システム１００と同様のタイプである。また、変形例に係る基地局装置１０は、図７に示された基地局装置１０と同様のタイプである。検出部４２は、ＲＦ部２０からＩＦ部２６を介して、周囲に配置された他の基地局装置１０からのＣＣＨが配置されたタイムロットに関する情報を取得する。このようなＣＣＨは、端末装置１２が他の基地局装置１０の存在を確認するために使用される信号であるといえる。また、情報の取得には、公知の技術が使用されればよいので、ここでは説明を省略する。例えば、検出部４２は、一日に一度、基地局装置１０がフレーム同期を確立するタイミングにて情報を取得し、テーブルを生成する。図１４は、本発明の変形例に係る検出部４２に記憶されたテーブルのデータ構造を示す。図示のごとく、基地局名欄２００、割当スロット欄２０２が含まれる。基地局名欄２００では、周囲に配置された通信システム１００を識別するための番号が示されており、割当スロット欄２０２では、ＣＣＨを配置したタイミングが示されている。図７に戻る。
【００６３】
割当部４０は、検出部４２において記憶されたテーブルを参照しながら、ＥＣＣＨが配置されたタイムスロット以外のタイムスロットのうち、他の通信システム１００によるＣＣＨに対応したタイムスロットを特定する。割当部４０は、特定したタイムスロットに含まれたＥＤＣＨを解放する。これ以降の処理は、実施例と同様であるので、ここでは説明を省略する。
【００６４】
図１５（ａ）−（ｂ）は、本発明の変形例に係る第１基地局装置１０ａにおける割当状況を示す。図１５（ａ）−（ｂ）の表記は、図３と同様である。図１５（ａ）は、ハンドオーバ実行前のバーストの割当状況を示しており、図８（ａ）と同様であるので、ここでは説明を省略する。図１５（ｂ）は、ハンドオーバ実行時の割り当て状況を示す。前述のごとく、割当部４０は、ＥＣＣＨが配置されたタイムスロット以外のタイムスロットのうち、他の通信システム１００によるＣＣＨに対応したタイムスロット「Ｔ１」を特定する。また、割当部４０は、タイムスロット「Ｔ２」、「Ｔ３」、「Ｔ４」に配置されたＥＤＣＨを維持する。そのため、図１５（ｂ）におけるＴ２、Ｔ３、Ｔ４でのＥＤＣＨの配置は、図１５（ａ）でのＥＤＣＨの配置と同様である。一方、割当部４０は、特定したタイムスロット「Ｔ１」におけるＥＤＣＨをすべて解放する。また、生成部４４は、このようなＥＤＣＨの配置をＥＣＣＨにて端末装置１２へ通知する。
【００６５】
本発明の実施例によれば、ＥＣＣＨが配置されたタイムスロットのＥＤＣＨを確保しながら、他のタイムスロットのＥＤＣＨを解放するので、通信に使用しないタイムスロットを増加できる。また、通信に使用しないタイムスロットが増加するので、ハンドオーバ先基地局装置を探索するためのタイムスロットを増加できる。また、ハンドオーバ先基地局装置を探索するためのタイムスロットが増加されるので、探索期間を短縮できる。また、探索期間が短縮されるので、任意のバーストにＥＤＣＨが割り当てられている場合においても、ハンドオーバ処理に要する期間を短縮できる。また、ＥＣＣＨが配置されたタイムスロット以外のタイムスロットに含まれたＥＤＣＨを解放するので、通信に使用しないタイムスロットを増加できる。また、他の基地局装置が制御チャネルを配置しているタイムスロットに配置されたＥＤＣＨだけを解放するので、維持するＥＤＣＨの数を増加できる。また、一次するＥＤＣＨの数が増加されるので、通信速度の低下を抑制できる。
【００６６】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【図面の簡単な説明】
【００６７】
【図１】本発明の実施例に係る通信システムの構成を示す図である。
【図２】図１の通信システムにおけるＴＤＭＡフレームの構成を示す図である。
【図３】図１の通信システムにおけるＯＦＤＭＡサブチャネルの構成を示す図である。
【図４】図１の通信システムにおけるサブチャネルブロックの構成を示す図である。
【図５】図１の通信システムにおける制御チャネルの構成を示す図である。
【図６】図１の通信システムにおけるＴＣＨ同期確立手順を示すシーケンス図である。
【図７】図１の基地局装置の構成を示す図である。
【図８】図８（ａ）−（ｂ）は、図１の第１基地局装置における割当状況を示す図である。
【図９】図９（ａ）−（ｂ）は、図１の第２基地局装置における割当状況を示す図である。
【図１０】図１の通信システムにおけるハンドオーバ処理の手順を示すシーケンス図である。
【図１１】図１の第１基地局装置におけるハンドオーバ処理の手順を示すフローチャートである。
【図１２】図１の第１端末装置におけるハンドオーバ処理の手順を示すフローチャートである。
【図１３】図１の第２基地局装置におけるハンドオーバ処理の手順を示すフローチャートである。
【図１４】本発明の変形例に係る検出部に記憶されたテーブルのデータ構造を示す図である。
【図１５】図１５（ａ）−（ｂ）は、本発明の変形例に係る第１基地局装置における割当状況を示す図である。
【符号の説明】
【００６８】
１０  基地局装置、  １２  端末装置、  ２０  ＲＦ部、  ２２  変復調部、  ２４  ベースバンド処理部、  ２６  ＩＦ部、  ３０  制御部、  ４０  割当部、  ４２  検出部、  ４４  生成部、  ５０  ネットワーク、  ５２  制御局、  １００  通信システム。
【図１】
0004951567.tif 000002
【図２】
0004951567.tif 000003
【図３】
0004951567.tif 000004
【図４】
0004951567.tif 000005
【図５】
0004951567.tif 000006
【図６】
0004951567.tif 000007
【図７】
0004951567.tif 000008
【図８】
0004951567.tif 000009
【図９】
0004951567.tif 000010
【図１０】
0004951567.tif 000011
【図１１】
0004951567.tif 000012
【図１２】
0004951567.tif 000013
【図１３】
0004951567.tif 000014
【図１４】
0004951567.tif 000015
【図１５】
0004951567.tif 000016